(57)【要約】【課題】  従来の合成樹脂等の弾性体で形成したワイヤー付きブラジャーの場合、ワイヤーの脇部側が横方向へ引っ張られた時、ワイヤーが横方向に開いたり、或いはカップ部の中心部が前方に浮き上がるなどの恐れがあり、このためにバストの中央部への寄せ効果や保形効果が十分に発揮されず、着用感が著しく損なわれるという課題があった。【解決手段】  本発明は、カップ部の下辺部に柔軟性に富んだワイヤーを設け、且つワイヤーの脇側をブラジャーの前中心水平線以下となるように設け、更にカップ部の脇部側に非伸縮性のサイドパネルを設けると共に、上方部を延出して肩紐部の一部を形成するように構成したもので、従ってワイヤーの横方向への開きがなくなり、且つバストの脇部への流れを阻止することにより、バストの中央部への寄せ効果が十分に発揮され、且つソフト感や保形効果に優れたブラジャー類が得られるのである。【選択図】      図２
2005264351.tif 000002
【特許請求の範囲】
【請求項１】
少なくともカップ部と脇部用ベルトと土台部及びワイヤーからなるブラジャー類において、カップ部の脇部側に非伸縮性のサイドパネルを設けると共に、同パネルを肩紐部及び脇部用ベルト側に接続、縫着するように装着したことを特徴とするブラジャー類。
【請求項２】
カップ部の下辺側に柔軟性に富んだワイヤーを設けると共に、同ワイヤーの脇側の上端位置をブラジャーの前中心水平線以下とするように装着したことを特徴とする請求項１に記載されたブラジャー類。
【請求項３】
ワイヤーの素材を柔軟性に富んだ合成樹脂製で構成したことを特徴とする請求項２に記載されたブラジャー類。
【請求項４】
サイドパネルの上方部を延出して肩紐部の一部を形成するように構成したことを特徴とする請求項１〜請求項２に記載されたブラジャー類。
【請求項５】
筒状生地内に挿入したワイヤーをカップ部の下辺部に設けると共に、同筒状生地の脇部側先端部をサイドパネルの脇部側に一体的に縫着し、且つワイヤーの脇部側端部をカップ部の脇部側縫着ラインよりも内側に位置させたことを特徴とする請求項１〜請求項４に記載されたブラジャー類。
【請求項６】
カップ部の下辺側に設けたワイヤーの断面高さ寸法においてその両端部よりも中央部側の高さを高くするように構成したことを特徴とする請求項１〜請求項５に記載されたブラジャー類。
【発明の詳細な説明】
【技術分野】
【０００１】
本発明は、カップ部の脇部に非伸縮性のサイドパネルを設けると共に、カップ部の下辺部に弾性体によるワイヤーを設け、サイドパネルの上方部を延出して肩紐部の一部を形成するように構成したことにより、バストの脇部への流れを防止すると共に中央部への寄せ効果が十分に発揮され、ソフト感や保形効果などに優れたブラジャー類に関する。
【背景技術】
【０００２】
従来の合成樹脂等の弾性体で形成したワイヤー付きのブラジャーの場合、例えば図４の如く、従来のワイヤー２１の場合は、脇部側の端部２２の位置がブラジャーの前中心水平線１９（前身側中心部における水平線１９）よりも上方の位置に位置しているため、カップ部が脇部側、即ち横方向へ引っ張られた時、柔軟性のあるワイヤーは横方向に開き、且つカップ部の中心部が前方に浮き上がるために、カップ部が変形し、この結果バストの中央部への寄せ効果や保形効果が十分に発揮されず、着用感の優れたブラジャーが得られない欠点があった。また上記従来のワイヤー２１の場合は、脇部側の端部２２が、身体の屈伸時に横方向へ引っ張られた時、端部２２が脇部の肌側を押圧ないしは強圧して肌側に苦痛を与える恐れがあり、着用感を著しく損なう欠点があった。
【０００３】
またカップ部の脇部にサイドパネルを設けたノンワイヤーによるブラジャーがみられるが、カップ部の前身中心部が浮き上がり易い傾向にあり、このために保形効果やフィット性が十分に発揮されない欠点があった。
【０００４】
【特許文献１】特開平１０−９６１０４号公報、登録実用新案第３０１７９０６号公報
【発明の開示】
【発明が解決しようとする課題】
【０００５】
解決しようとする問題点は、カップ部の下方に設けたワイヤーの脇部側における端部がブラジャーの前中心水平線よりも上方に位置していることにより、カップ部が横方向へ引っ張られた時、ワイヤーが横方向に開いてカップ部の中心部が前方に浮き上がり、カップ部が変形するのみならず、更にワイヤーが開くときに肌側を押圧若しくは強圧して苦痛を与える恐れがあり、従ってバストの中央部への寄せ効果や保形効果が十分に発揮されず、着用感が損なわれるという課題があった。
【課題を解決するための手段】
【０００６】
本発明は、カップ部の下辺部に柔軟性に富んだワイヤーを設けると共に、同ワイヤーの脇側の位置をブラジャーの前中心水平線以下となるように設け、更にカップ部の脇部側に非伸縮性のサイドパネルを設け、且つサイドパネルの上方部を延出して肩紐部の一部を形成するように構成したことにより、ワイヤーの横方向への開きを防止すると共に、バストの脇部への流れを防止して中央部への寄せ効果が十分に発揮され、且つソフト感や保形効果に優れたブラジャー類に関する。
【発明の効果】
【０００７】
本発明は、カップ部の下辺側に柔軟性に富んだワイヤーを設け、且つ中央部分の断面による高さを両端部よりも高くして強度を強め、横方向への拡がりを防止するようにし、更に同ワイヤーの長さを短くして脇側の位置をブラジャーの前中心水平線以下となるように設けたので、カップ部が横方向へ引っ張られたとき、ワイヤーの両端部が短く切除されていることにより、ワイヤーが横方向に開きたり、或いはワイヤーの端部が肌側を強圧して苦痛を与える等の従来の欠点が完全に解消され、更にワイヤーの開きにより、カップ部の中心部が前方に浮き上がるというような従来の欠点も解消され、カップ部の安定した美麗な形状を有するブラジャー類が得られるのである。
【０００８】
更にカップ部の脇部側に非伸縮性の生地よりなるサイドパネルを設け、且つサイドパネルの上方部を延出して肩紐部の一部を形成するように構成したことにより、ブラジャーの着用時に、肩紐には上方への引張力が働き、これによって肩紐部の一部を形成しているサイドパネルを上方へ引き上げようとする力が働き、一方、バストの重みにより、ワイヤーに下向きの力が加わり、且つ土台部の抗力によって、カップ部に対して下方への力が加わり、これら上下方向の合力の作用により、サイドパネル側にはカップ部を内側に寄せようとする力が働き、これら上下方向の力とカップ部を内側に寄せようとする力、更にはバストが外側に膨出しようとする力とが、常に釣り合った状態に維持されるのである。従ってバストが横方向へ流れるという恐れがなくなり、且つバストの中央部への寄せ効果が顕著に発揮され、バスト即ち乳房の優美な補正機能や保形効果が安定的に保持され、しかも変形することのない美麗なカップ部が維持され、着用感の良好なブラジャー類が得られるのである。
【発明を実施するための最良の形態】
【０００９】
本発明はワイヤーの横方向への開きを解消し、且つバストの脇部への流れを防止することにより、バストの中央部への寄せ効果が十分に発揮され、しかもソフトな保形効果に優れたブラジャー類が得られるようにしたものである。
【実施例１】
【００１０】
図例において１はブラジャーで、２はカップ部、３は肩紐部、５はカップ用表地、６はカップ用裏地、１５はカップ部２の裏面側で且つ下方周辺部に設けたワイヤー、２５は土台部、３０はカップ部２の外側脇部に設けたサイドパネル、５０は同サイドパネル３０に連接して設けた脇部用ベルトである。尚、前記カップ用裏地６は、上側及び下側用裏地７、８で一体化形成され、且つ同裏地７、８は、例えば嵩高性に富んだ不織布の両面を合成繊維による伸縮性生地で熱接着により挟持（ラミネート）して裏地を形成するようにしてあり、更に上側及び下側用裏地７、８を細幅テープ９により、一体的に接続縫着１０してある。
【００１１】
尚、カップ部２の裏面側で且つ下方周辺部に設けたワイヤー１５は、周知の手段により、筒状に縫着、形成した筒状生地１６内に挿通、収納するようにしてあり、また図３の如くカップ用裏地６の内面側で且つ下方周辺部にワイヤー１５入りの筒状生地１６を重合、位置させると共に、土台部２５の上下両側縁部を内面側に折返した土台部２５の上方部をカップ用表地５の外面側に重合し、土台部２５、カップ用表地、裏地５、６及びワイヤー１５入りの筒状生地１６を一体的に縫着２６するようにしてある。また図３の如く、２７は細幅テープ生地で土台部２５の下側の折り返し部内面側に同テープ生地２７を重合し、一体的に重合、縫着２８してある。尚、土台部２５の生地素材としては、伸縮性のラッセル編地や経編地などが好ましいが、目的によっては非伸縮性の編地を用いるようにしてもよい。
【００１２】
また図４の如く、ワイヤー１５の両端部１７、１８の位置が、夫々ブラジャー１の前中心水平線１９（ブラジャーの前中心部を通過する水平線１９）よりも下方の位置に位置するように設けてある、即ちワイヤー１５の脇側１８の位置をブラジャー１の前中心水平線１９以下となるように設けてある。従ってワイヤー１５の長さを短く切除して脇側１８を水平線１９の位置よりも低くし、且つ脇部２３の位置よりも下方で且つ脇部ライン２０よりも内側に位置させることにより、カップ部２の横方向への引張力に対してワイヤー１５が横方向への拡開することがなくなり、且つワイヤー１５の端部が、肌部分を強圧して苦痛を与えるというような恐れもなくなり、従来の欠点が完全に解消されるのである。
【００１３】
また図４の如く、ワイヤー１５の中央部における断面の高さＨを３．５〜５．０ミリメートル（ｍｍ）の範囲とし、且つ厚みＷを０．５〜２．０ミリメートル（ｍｍ）の範囲とし、更にワイヤー１５の両端部１７、１８におけるワイヤー１５の中央部の高さＨを２．５〜３．５ミリメートル（ｍｍ）の範囲とし、且つ厚みＷを０．５〜２．０ミリメートル（ｍｍ）の範囲とすることが好ましく、これによってカップ部２の横方向への引張力に対してワイヤー１５の歪みや変形、或いは拡開などを確実に防止でき、形状の安定したカップ部が得られるのである。更にワイヤー１５の材質としては、スチール製でもよいが、特に合成樹脂製（例えばポリプロピレン樹脂製）であれば、柔軟性に富んだワイヤーが得られ、これによってソフトなカップ部が得られ、着用感が向上するのである。
【００１４】
また図４において従来型のワイヤー２１の場合は、高さ及び厚さは各部位の断面において同一であり、且つワイヤー２１の脇部側２２の位置が、前中心水平線１９の位置より上方位置にあるために、カップ部が横方向に引っ張られると、ワイヤー２１はそれだけ変形しやすくなり、横方向に拡開するためにカップ部が変形し、ブラジャーの中央部が前身側で浮き上がる恐れがあり、本来のカップ部の美麗な保形を維持することが困難であったが、本発明ではこれらの欠点を完全に解消することができたのである。
【００１５】
図５はサイドパネル３０などの縫着構造を示したもので、先ずカップ部２の外側脇部に位置するサイドパネル３０をカップ用表地５及び裏地６側に重合、縫着するにあたり、同パネル３０の両側縁部を内面側に折返し、脇部側に位置する一方の折返し部をカップ用表地５の表面側端縁部に重合し、更に両端部を外面側に折曲げた細幅テープ生地（例えば経編地によるバイアス生地）３５をカップ用裏地６の裏面側端縁部に重合し、同細幅テープ生地３５、カップ用表地５、裏地６及びサイドパネル３０を一体的に重合、縫着４０するものである。
【００１６】
更に脇部用ベルト５０とサイドパネル３０を重合、縫着する場合は、図５の如く、同パネル３０の他方の折返し部裏面側に脇部用ベルト５０の端縁部を重合し、脇部用ベルト５０とサイドパネル３０を重合して接続、縫着４１するようにしたものである。尚、サイドパネル３０をカップ用表地５及び裏地６側に重合、縫着する際、カップ部２の脇部を斜め方向に直線状にカットして縫着するようにしてある。
【００１７】
また前述の如く、サイドパネル３０とカップ用表地５及び裏地６並びに細幅テープ生地３５を一体的に重合、縫着４０する途中において、ワイヤー１５入りの筒状生地１６を交差状に縫着する部分は、図６の如く細幅テープ生地３５とカップ用裏地６の間にワイヤー１５入りの筒状生地１６の先端部を挿入、位置させ、且つワイヤー１５の先端部を縫着位置から後退させた状態で、筒状生地１６の先端部のみをカップ用裏地６と細幅テープ生地３５の間に挿入し、この状態でサイドパネル３０、カップ用表地５及び裏地６、筒状生地１６並びに細幅テープ生地３５を一体化的に重合して縫着４０するようにしたものである。
【００１８】
また図７〜図１０は夫々図６の他の応用例を示したもので、図７における第１応用例の場合は、細幅テープ生地３５の代わりに、ホース状生地３６内に細幅状の合成樹脂製ボーン５５を挿入して重合、縫着した場合を示してあり、図８の第２応用例の場合は、図７の第１応用例におけるサイドパネル３０の裏面側内面に更に補強布５６を重合して一体化縫着４０した場合を示してあり、また図９の第３応用例の場合は、図６に図示された細幅テープ生地３５の代わりに補強テープ５７を重合、縫着４０した状態を示しており、更に図１０の第４応用例の場合は、図６の実施例に図示されたカップ用表地５の表面側に更に補強布５８を重合して縫着４０した場合を示したものである。尚、図１１は、前記第４応用例におけるブラジャーの正面図で、カップ部の表地５の表面に補強布５８を重合、縫着した状態を示したものである。
【００１９】
また図１及び図２において、サイドパネル３０の上方部には、肩紐用細幅部３１を一体化して設けてあり、肩紐部３の後身側テープ生地３２側に肩紐用細幅部３１を連結、接続して、肩紐部３を形成するようにしてある。尚、サイドパネル３０の素材としては、経、緯方向共に伸度を押さえたラッセル編地（例えばマルチバックハーフなど）或いは経編地等が好ましく、経、緯方向共に非伸縮性の編生地であれば、いずれでもよい。またサイドパネル３０の素材が伸縮性生地の場合は、カップ部２が横方向へ流れて変位した場合、横方向への圧力により、サイドパネル３０の生地が更に伸びて膨らみ出し、この結果カップ部２の寄せ効果が減少する恐れがあり、伸縮性生地は好ましくないのである。
【００２０】
尚、本発明のブラジャーにおいて、サイドパネル３０の上方部を延出して肩紐部の一部である肩紐用細幅部３１を形成したことにより、ブラジャーの着用時は、肩紐部３には上方への引張力が働き、これによって肩紐部３の一部を形成しているサイドパネル３０を上方へ引き上げようとする力が働きの一部を形成しているサイドパネルを上方へ引き上げようとする力が働き、一方、バストの重みにより、ワイヤー１５に下向きの力が加わり、且つ土台部２５の抗力によって、カップ部２に対して下方への力が加わり、これら上下方向の合力の作用によりサイドパネル３０側ではカップ部２、即ちバストを内側に寄せようとする力が働き、これら上下方向の力とカップ部を内側に寄せようとする力、更にはバストが外側に膨出しようとする力とが、常に釣り合った状態に維持されるのである。従ってバストが横方向へ流れるという恐れがなくなり、且つバストの中央部への寄せ効果が顕著に発揮され、バスト即ち乳房の優美な補正機能や保形効果が安定的に保持され、発揮されるのである。
【００２１】
また図２及び図６の如く、ワイヤー１５入りの筒状生地１６をサイドパネル３０側に対して交差状に縫着する際、筒状生地１６の先端部のみをサイドパネル３０、カップ用表地５及び裏地６及び細幅テープ生地３５と共に一体化的に重合して縫着４０してある。従ってワイヤー１５は筒状生地１６を介してパネル３０側に連結されているから、ワイヤー１５を介してバストの下辺部を確実に持ち上げることができ、寄せ効果の大なるバストが得られるのである。
【００２２】
また図８の如く、サイドパネル３０の裏面側内面に補強布５６を重合して一体化縫着４０する際、この補強布５６の素材としては、サイドパネル３０の素材と同様に経、緯方向共に伸度を押さえたラッセル編地（例えばマルチバックハーフなど）或いは経編地等が好ましく、経、緯方向共に非伸縮性の編生地であれば、いずれでもよい。また補強布５６とサイドパネル３０の接合方法としては、ラミネート若しくは縫着などの手段により、接合するようにしてもよい。
【００２３】
また図１０及び図１１において、カップ用表地５の表面側に更に補強布５８を重合、縫着４０する際、補強布５８の素材としては、サイドパネル３０の場合と同様に、経、緯方向共に伸度を押さえたラッセル編地（例えばマルチバックハーフなど）或いは経編地等が好ましく、経、緯方向共に非伸縮性の編生地であれば、いずれでもよい。また補強布５８とカップ部２との接合方法としては、ラミネート若しくは縫着などの手段により、接合するようにしてもよい。
【産業上の利用可能性】
【００２４】
本発明において、ブラジャー類の適用範囲としては、ブラジャーやボディスーツ、カップ付きドレス、スリップ、水着など広範囲な分野で適用されるのである。
【図面の簡単な説明】
【００２５】
【図１】本発明の第１実施例によるブラジャーの概略正面図である。
【図２】本発明の第１実施例によるブラジャーの概略背面図である。
【図３】図２のＸ―Ｘ断面における概略断面図である。
【図４】従来のワイヤーと本発明によるワイヤーの断面形状による位置関係の比較説明用概略正面図である。
【図５】図２のＹ−Ｙ断面における概略断面図である。
【図６】図２のＺ−Ｚ断面における概略断面図である。
【図７】図６の他の応用例を示したもので、第１応用例の概略断面図である。
【図８】図６の他の応用例を示したもので、第２応用例の概略断面図である。
【図９】図６の他の応用例を示したもので、第３応用例の概略断面図である。
【図１０】図６の他の応用例を示したもので、第４応用例の概略断面図である。
【図１１】図１０の第４応用例におけるのブラジャーの概略正面図である。
【符号の説明】
【００２６】
２    カップ部  
５    カップ用表地
６    カップ用裏地
１５    ワイヤー  
１６    筒状生地
２５    土台部
３０    サイドパネル
２５    土台布
５０    脇部用ベルト
【図１】
2005264351.tif 000003
【図２】
2005264351.tif 000004
【図３】
2005264351.tif 000005
【図４】
2005264351.tif 000006
【図５】
2005264351.tif 000007
【図６】
2005264351.tif 000008
【図７】
2005264351.tif 000009
【図８】
2005264351.tif 000010
【図９】
2005264351.tif 000011
【図１０】
2005264351.tif 000012
【図１１】
2005264351.tif 000013